(57)【要約】【課題】ファイルの保存先となるフォルダーの適切な設定を容易化させる。【解決手段】画像処理装置は、原稿の読み取りにより生成された文書画像データを取得し、文字認識により前記文書画像データに含まれている文字列を認識する制御部と、前記文書画像データを保存する記憶部と、を備え、前記制御部は、前記記憶部における既存のフォルダーのフォルダー名と前記文書画像データに含まれている文字列とを比較し、前記フォルダー名の少なくとも一部が前記文書画像データに含まれている文字列と一致するフォルダーを、前記文書画像データの保存先のフォルダーとして選択する。【選択図】図２
2019117622.tif 000002
【特許請求の範囲】
【請求項１】
原稿の読み取りにより生成された文書画像データを取得し、文字認識により前記文書画像データに含まれている文字列を認識する制御部と、
前記文書画像データを保存する記憶部と、を備え、
前記制御部は、前記記憶部における既存のフォルダーのフォルダー名と前記文書画像データに含まれている文字列とを比較し、前記フォルダー名の少なくとも一部が前記文書画像データに含まれている文字列と一致するフォルダーを、前記文書画像データの保存先のフォルダーとして選択することを特徴とする画像処理装置。
【請求項２】
前記制御部は、前回のデータの保存先としたフォルダーと同階層のフォルダーのフォルダー名を、前記文書画像データに含まれている文字列との比較対象とすることを特徴とする請求項１に記載の画像処理装置。
【請求項３】
前記制御部は、前回のデータの保存先としたフォルダーの一階層上位のフォルダー及び又は一階層下位のフォルダーのフォルダー名を、前記文書画像データに含まれている文字列との比較対象に含めることを特徴とする請求項２に記載の画像処理装置。
【請求項４】
前記制御部は、前記フォルダー名の少なくとも一部が前記文書画像データに含まれている文字列と一致するフォルダーであって、前記記憶部におけるフォルダーへの経路を示すパスに含まれる複数の文字列が前記文書画像データに含まれている文字列と一致するフォルダーを、前記保存先のフォルダーとして優先的に選択することを特徴とする請求項１〜請求項３のいずれかに記載の画像処理装置。
【請求項５】
前記制御部は、前記文字列の中から、予め登録された特定文字列を検索し、前記検索により検出した前記特定文字列を含むファイル名を、前記フォルダー名として選択することを特徴とする請求項１に記載の画像処理装置。
【請求項６】
前記制御部は、前記文書画像データに含まれている文字列と、前記記憶部に記憶されている原稿の発行元のデータベースを比較し、前記データベースに含まれる原稿の発行元と一致する前記文書画像データに含まれている文字列を、前記保存先のフォルダーの名称の少なくとも一部として選択することを特徴とする請求項５に記載の画像処理装置。
【請求項７】
原稿の読み取りにより生成された文書画像データを取得し、文字認識により前記文書画像データに含まれている文字列を認識する制御部と、
前記文書画像データを保存する記憶部と、を備え、
前記制御部は、前記記憶部に保存済みのファイルのファイル名と前記文書画像データに含まれている文字列とを比較し、前記ファイル名であって、少なくとも一部が前記文書画像データに含まれている文字列と一致する前記ファイル名を、前記文書画像データのファイル名として選択することを特徴とする画像処理装置。
【請求項８】
原稿の読み取りにより生成された文書画像データに対する処理をコンピューターに実行させる画像処理プログラムであって、
文字認識により前記文書画像データに含まれている文字列を認識する制御機能を実行させ、
前記制御機能は、記憶部における既存のフォルダーのフォルダー名と前記文書画像データに含まれている文字列とを比較し、前記フォルダー名の少なくとも一部が前記文書画像データに含まれている文字列と一致するフォルダーを、前記文書画像データの保存先のフォルダーとして選択することを特徴とする画像処理プログラム。
【請求項９】
原稿の読み取りにより生成された文書画像データに対する処理をコンピューターに実行させる画像処理プログラムであって、
文字認識により前記文書画像データに含まれている文字列を認識する制御機能を実行させ、
前記制御機能は、記憶部に保存済みのファイルのファイル名と前記文書画像データに含まれている文字列とを比較し、前記ファイル名であって、少なくとも一部が前記文書画像データに含まれている文字列と一致する前記ファイル名を、前記文書画像データのファイル名として選択する特徴とする画像処理プログラム。
【発明の詳細な説明】
【技術分野】
【０００１】
本発明は、原稿の読み取りにより生成された文書画像データを処理する画像処理装置および画像処理プログラムに関する。
【背景技術】
【０００２】
スキャナーで原稿を読み取って生成された文書画像データをファイルとして保存する際、ユーザーはファイル名を付けてフォルダーに保存する。フォルダーは、ディレクトリー等とも呼ばれる。
また、セットされた原稿の画像を読取部が読み取り、同時に、セットされた名刺の画像を第２読取部が読み取り、メイン制御部は、名刺の画像から会社名、氏名といった識別情報を取得し、原稿画像のファイルに対して、得られた識別情報を含むファイル名を付け、得られた会社名と同じ会社名が名付けられた個別のフォルダーを自動的に選択し、ファイルを選択されたフォルダーに保存する画像処理装置が開示されている（特許文献１参照）。
【先行技術文献】
【特許文献】
【０００３】
【特許文献１】特開２００９‐１６４７２１号公報
【発明の概要】
【発明が解決しようとする課題】
【０００４】
文書画像データをファイルとして保存する際、ユーザーは、保存先のフォルダーを設定する必要があるが、数多くある既存のフォルダーから、保存先として適切なフォルダーを選ぶ作業は負担である。しかしながら前記特許文献１においては、画像の保存対象となる原稿だけでなく、名刺も装置に読み取らせる必要があるため、ユーザーの負担が大きく、また、装置に２つの読取部が搭載されていない場合や名刺が無い場合は、成立しない。
【０００５】
本発明は上述の課題の少なくとも一つに鑑みてなされたものであり、ファイルの保存先となるフォルダーの適切な設定を容易化させる画像処理装置および画像処理プログラムを提供する。
【課題を解決するための手段】
【０００６】
本発明の態様の１つは、画像処理装置は、原稿の読み取りにより生成された文書画像データを取得し、文字認識により前記文書画像データに含まれている文字列を認識する制御部と、前記文書画像データを保存する記憶部と、を備え、前記制御部は、前記記憶部における既存のフォルダーのフォルダー名と前記文書画像データに含まれている文字列とを比較し、前記フォルダー名の少なくとも一部が前記文書画像データに含まれている文字列と一致するフォルダーを、前記文書画像データの保存先のフォルダーとして選択する。
【０００７】
当該構成によれば、画像処理装置は、記憶部における既存のフォルダーのうち、フォルダー名の少なくとも一部が文書画像データに含まれている文字列と一致するフォルダーを、ユーザーに提示する。よって、ユーザーは、提示された（表示部に表示された）フォルダーを、文書画像データの保存先として設定するだけで、文書画像データを適切なフォルダーに保存することができる。
【０００８】
本発明の態様の１つは、前記制御部は、前回のデータの保存先としたフォルダーと同階層のフォルダーのフォルダー名を、前記文書画像データに含まれている文字列との比較対象としてもよい。
当該構成によれば、画像処理装置は、フォルダー名を文書画像データに含まれている文字列と比較するフォルダーを、前回のデータの保存先としたフォルダーと同階層のフォルダーの範囲に制限することにより、文書画像データの保存先として適切なフォルダーを効率的に検出し、ユーザーに提示することができる。前記制御部は、さらに、前回のデータの保存先としたフォルダーの一階層上位のフォルダー及び又は一階層下位のフォルダーのフォルダー名を、前記文書画像データに含まれている文字列との比較対象に含めるとしてもよい。
【０００９】
本発明の態様の１つは、前記制御部は、前記フォルダー名の少なくとも一部が前記文書画像データに含まれている文字列と一致するフォルダーであって、前記記憶部におけるフォルダーへの経路を示すパスに含まれる複数の文字列が前記文書画像データに含まれている文字列と一致するフォルダーを、前記保存先のフォルダーとして優先的に選択してもよい。
当該構成によれば、画像処理装置は、フォルダー名だけでなくパスを構成する文字列も、文書画像データに含まれている文字列と比較することにより、文書画像データの保存先として適切なフォルダーを、より的確にユーザーが設定し易い態様で提示することができる。
【００１０】
本発明の態様の１つは、原稿の読み取りにより生成された文書画像データを取得し、文字認識により前記文書画像データに含まれている文字列を認識する制御部と、前記文書画像データを保存する記憶部と、を備え、前記制御部は、前記記憶部に保存済みのファイルのファイル名と前記文書画像データに含まれている文字列とを比較し、前記ファイル名であって、少なくとも一部が前記文書画像データに含まれている文字列と一致する前記ファイル名を、前記文書画像データのファイル名として選択する。
当該構成によれば、画像処理装置は、記憶部に保存済みのファイルのファイル名のうち、少なくとも一部が文書画像データに含まれている文字列と一致するファイル名を、ユーザーに提示する。よって、ユーザーは、提示された（表示部に表示された）ファイル名に最小限の編集を加えるだけで、文書画像データに適切なファイル名を付けて保存することができる。
【００１１】
本発明の技術的思想は、画像処理装置というカテゴリー以外によっても実現される。
例えば、原稿の読み取りにより生成された文書画像データに対する処理をコンピューターに実行させる画像処理プログラムであって、文字認識により前記文書画像データに含まれている文字列を認識する制御機能を実行させ、前記制御機能は、記憶部における既存のフォルダーのフォルダー名と前記文書画像データに含まれている文字列とを比較し、前記フォルダー名の少なくとも一部が前記文書画像データに含まれている文字列と一致するフォルダーを、前記文書画像データの保存先のフォルダーとして選択するプログラムを、発明として把握することができる。
【００１２】
また、前記制御機能は、記憶部に保存済みのファイルのファイル名と前記文書画像データに含まれている文字列とを比較し、前記ファイル名であって、少なくとも一部が前記文書画像データに含まれている文字列と一致する前記ファイル名を、前記文書画像データのファイル名として選択する画像処理プログラムも、発明として把握することができる。
また、各プログラムによる処理に相当する方法の発明や、各プログラムを記憶したコンピューター読み取り可能な記憶媒体も発明として成り立つ。
【図面の簡単な説明】
【００１３】
【図１】画像処理装置の構成を簡易的に示す図。
【図２】ファイル保存処理を示すフローチャート。
【図３】フォルダーの階層構造の一例を示す図。
【図４】フォルダー候補欄を含んだファイル保存設定画面の一例を示す図。
【図５】ファイル名候補欄を含んだファイル保存設定画面の一例を示す図。
【図６】変形例にかかるフォルダー候補欄を含んだファイル保存設定画面を示す図。
【図７】変形例にかかるフォルダー名の決定処理を示すフローチャート。
【図８】変形例にかかるフォルダー名候補の設定画面の一例を示す図。
【発明を実施するための形態】
【００１４】
以下、各図を参照しながら本発明の実施形態を説明する。なお各図は、本実施形態を説明するための例示に過ぎない。また、各図は例示であるため、互いに整合していないこともある。
【００１５】
１．装置構成の概略的説明：
図１は、本実施形態にかかる画像処理装置１０の構成を簡易的に示している。画像処理装置１０は、原稿を光学的に読み取って読取結果としての所定のフォーマットの画像データを生成し当該画像データを外部へ出力する読取装置（スキャナー３０）と、通信可能に接続する。スキャナー３０は、公知の製品を含めてスキャナーとして機能する装置であればよい。
【００１６】
画像処理装置１０は、例えば、パーソナルコンピューター（ＰＣ）、スマートフォン、タブレット型端末、携帯電話機、或いはそれらと同程度の処理能力を有する情報処理装置によって実現される。また、本実施形態にかかる制御部１１を実現可能なハードウェアを画像処理装置と呼んでもよい。
【００１７】
画像処理装置１０は、例えば、制御部１１、表示部１２、操作受付部１３、通信インターフェイス（ＩＦ）１４、記憶部１５等を備える。制御部１１は、例えば、プロセッサー（例えばＣＰＵ１１ａ。ＡＳＩＣやＡＳＩＣとＣＰＵ等の協働であってもよい）、ＲＯＭ１１ｂ、ＲＡＭ１１ｃ等を有する１つ又は複数のＩＣや、その他のメモリー等を適宜含んで構成される。記憶部１５は、例えば、ハードディスクドライブ（ＨＤＤ）やフラッシュメモリー等の不揮発性の記憶装置である。記憶部１５は、制御部１１の一部であってもよい。
【００１８】
制御部１１では、プロセッサー（ＣＰＵ１１ａ）が、ＲＯＭ１１ｂや記憶部１５等に保存されたプログラムに従った演算処理を、ＲＡＭ１１ｃ等をワークエリアとして用いて実行することにより、画像処理装置１０の挙動を制御する。制御部１１はプログラムの１つとしてプログラムＡを搭載しており、プログラムＡに従って、データ取得部２０、ファイル保存支援部２１、表示制御部２２等といった各機能を実現する。プログラムＡは、原稿の読み取りにより生成された文書画像データに対する処理をコンピューターに実行させる画像処理プログラムである。また、プログラムＡは、文書画像データの保存や管理を実行するためのアプリケーションである。
【００１９】
通信ＩＦ１４は、公知の通信規格を含む所定の通信プロトコルに準拠して有線あるいは無線で外部と通信を実行するＩＦである。図１の例では、画像処理装置１０は、通信ＩＦ１４を介してスキャナー３０と接続している。むろん、画像処理装置１０は、通信ＩＦ１４あるいは不図示の別の通信ＩＦを介して、外部のネットワークに接続することも可能であり、制御部１１（プログラムＡ）は、例えば、前記ネットワーク（ローカルエリアネットワークやインターネット通信網等）を通じて外部のサーバー（不図示）に、スキャナー３０から取得した文書画像データをアップロードすることも可能である。
【００２０】
表示部１２は、視覚的情報を表示するための手段であり、例えば、液晶ディスプレイ（ＬＣＤ）や、有機ＥＬディスプレイ等により構成される。表示部１２は、ディスプレイと、当該ディスプレイを駆動するための駆動回路とを含む構成であってもよい。操作受付部１３は、ユーザーによる操作を受け付けるための手段であり、例えば、物理的なボタンや、タッチパネルや、マウスや、キーボード等によって実現される。むろん、タッチパネルは、表示部１２の一機能として実現されるとしてもよい。また、表示部１２および操作受付部１３を含めて操作パネル等と呼ぶことができる。
【００２１】
表示部１２、操作受付部１３、記憶部１５等の図１に示した一部の構成は、画像処理装置１０に外付けされた周辺機器であってもよい。また、図１に示した画像処理装置１０とスキャナー３０とを含んだシステムを１つの発明として捉えることも可能である。あるいは、画像処理装置１０とスキャナー３０とは、実態としてそれら全体が１つの装置に含まれていてもよい。画像処理装置１０とスキャナー３０とが１つの装置に含まれている場合、そのような構成（１つの装置）を、読取装置等と呼ぶことができる。また、画像処理装置１０とスキャナー３０とを含む構成（１つの装置）は、プリンター（コピー機）やファクシミリ等としての複数の機能を併せ持った複合機であってもよい。
【００２２】
２．ファイル保存処理：
図２は、制御部１１がプログラムＡに従って実行するファイル保存処理をフローチャートにより示している。
先ず、スキャナー３０は、ユーザーが任意にセットした原稿を読み取ることにより画像データを生成する。本実施形態では、ユーザーがスキャナー３０に読み取らせる原稿は、少なくとも文字が記載された原稿とする。原稿は、例えばレシートや請求書や契約書等である。スキャナー３０は、原稿の読取結果としての画像データ（文書画像データ）を、画像処理装置１０へ送信する。制御部１１は、通信ＩＦ１４を介してスキャナー３０へ原稿の読取開始を指示し、スキャナー３０は、制御部１１からの当該読取開始の指示に従って原稿の読み取りを開始してもよい。
【００２３】
制御部１１（データ取得部２０）は、上述のようにスキャナー３０から送信された文書画像データを、通信ＩＦ１４を介して取得する（ステップＳ１００）。なお、データ取得部２０は、スキャナー３０から文書画像データを直接取得（受信）するのではなく、スキャナー３０から文書画像データが転送された転送先としての記憶部（例えば、記憶部１５）から当該文書画像データを取得してもよい。
【００２４】
制御部１１（ファイル保存支援部２１）は、ステップＳ１００で取得した文書画像データを対象として、文字認識（ＯＣＲ：Optical Character Recognition/Reader）を実行することにより、文書画像データに含まれている文字列を認識する（ステップＳ１１０）。この場合、文書画像データに含まれている文字列と認識可能な対象を文字データ（テキストデータ）に変換する。文字認識処理は、公知の技術であるため、これ以上の説明は省略する。
【００２５】
ステップＳ１２０では、ファイル保存支援部２１は、ステップＳ１１０において認識した文書画像データに含まれている文字列（以下、データ内文字列）から、記憶部１５における既存のフォルダー（既存フォルダー）のフォルダー名を検索する。例えば、既存フォルダーの１つとして、フォルダー名が“ＸＹＺ”というフォルダーが記憶部１５に存在すると仮定する。この場合、ファイル保存支援部２１は、文字列“ＸＹＺ”とデータ内文字列とを比較し、文字列“ＸＹＺ”がデータ内文字列に含まれていれば、つまり、データ内文字列から文字列“ＸＹＺ”の検索に成功すれば、当該フォルダー名“ＸＹＺ”の既存フォルダーを、保存先候補フォルダーの１つとして検出する。
【００２６】
フォルダー名は、例えば、保存文書の種類を意味する言葉、顧客名を意味する言葉、年や月、といったような、意味の異なる複数の言葉を組み合わせた（結合した）文字列であることも想定される。そのため、ステップＳ１２０では、ファイル保存支援部２１は、既存フォルダーのフォルダー名と一致する文字列がデータ内文字列に含まれている場合だけでなく、既存フォルダーのフォルダー名の一部と一致する文字列がデータ内文字列に含まれている場合にも、データ内文字列から既存フォルダーのフォルダー名の検索に成功したと判断し、そのフォルダー名の既存フォルダーを、保存先候補フォルダーの１つとして検出する。
【００２７】
ただし、既存フォルダーのフォルダー名の一部とは、ある程度まとまった文字数からなる部分を意味する。これは、既存フォルダーのフォルダー名に使用されている、例えば１文字がデータ内文字列に含まれている場合に、データ内文字列から既存フォルダーのフォルダー名の検索に成功したと判断すると、保存先として適切ではない数多くの既存フォルダーが、保存先候補フォルダーとされてしまうからである。ステップＳ１２０では、ファイル保存支援部２１は、例えば、フォルダー名内の連続した２文字以上からなる文字群や、複数の単語がハイフン“-”やアンダーバー“_”等で結合されたフォルダー名における各単語を、「フォルダー名の一部」の最小単位として扱う。
【００２８】
ステップＳ１２０では、ファイル保存支援部２１は、記憶部１５における全ての既存フォルダーのフォルダー名それぞれについてデータ内文字列から検索してもよいが、検索するフォルダー名をある程度制限した方が、処理が効率的となる。また、ユーザーは、過去にデータを保存したフォルダーや、その近隣のフォルダーへ新たなデータを保存する可能性が高いとも言える。そこで、ファイル保存支援部２１は、前回のデータの保存先としたフォルダーと同階層のフォルダーのフォルダー名を、データ内文字列との比較対象としてもよい。
【００２９】
図３は、記憶部１５におけるフォルダーの階層構造の一例を示している。図３では、フォルダーやファイルの名前の例を、対応するフォルダーやファイルのアイコン近傍に示している。図３に示した範囲では、フォルダー“Fo1”が最上位の階層に在り、フォルダー“Fo1”の中に、つまりフォルダー“Fo1”の一階層下位に、フォルダー“Fo11”、フォルダー“Fo12”およびフォルダー“Fo13”が設けられている。また、フォルダー“Fo13”の中、つまりフォルダー“Fo13”の一階層下位に、フォルダー“Fo131”、フォルダー“Fo132”およびフォルダー“Invoice”が設けられている。さらに、フォルダー“Invoice”の中に、フォルダー“2017”が設けられており、かつ、ファイル“Invoice-ABC”、ファイル“Invoice-DEF”、ファイル“Invoice-GHI”が保存されている。図３は記憶部１５におけるフォルダーの階層構造の一部に過ぎず、記憶部１５には、図示していないフォルダーやファイルがさらに存在し得る。
【００３０】
ここで、現時点（ステップＳ１２０）において、プログラムＡを実行する制御部１１が前回（直近の過去に）保存したデータは、ファイル“Invoice-GHI”であると仮定する。ファイル“Invoice-GHI”は、フォルダー“Invoice”に保存されている。そのため、ファイル保存支援部２１は、フォルダー“Invoice”および、フォルダー“Invoice”と同階層の他のフォルダー“Fo131”、“Fo132”のフォルダー名（“Invoice”、“Fo131”、“Fo132”）それぞれを、データ内文字列から検索する。
【００３１】
さらに、ファイル保存支援部２１は、前回のデータの保存先としたフォルダーの一階層上位のフォルダー及び又は一階層下位のフォルダーのフォルダー名を、データ内文字列との比較対象としてもよい。上述の例のように、前回保存したデータがファイル“Invoice-GHI”であると仮定する。この場合、ファイル保存支援部２１は、ファイル“Invoice-GHI”の保存先のフォルダー“Invoice”および、フォルダー“Invoice”と同階層の他のフォルダー“Fo131”、“Fo132”に加え、フォルダー“Invoice”の一階層上位のフォルダー“Fo11”、“Fo12”、“Fo13”や、フォルダー“Invoice”の一階層下位のフォルダー“2017”のフォルダー名（“Invoice”、“Fo131”、“Fo132”、“Fo11”、“Fo12”、“Fo13”、“2017”）それぞれを、データ内文字列から検索してもよい。
【００３２】
ステップＳ１３０では、ファイル保存支援部２１は、データ内文字列から、記憶部１５に保存済みのファイル（既存ファイル）のファイル名（ただし、“.pdf”等の拡張子を除く。）を検索する。ステップＳ１３０は、概ね、ステップＳ１２０の処理をフォルダー名ではなくファイル名に適用した処理である。例えば、既存ファイルの１つとして、ファイル名が“Invoice-ABC”というファイルが記憶部１５に保存されている（図３参照）。この場合、ファイル保存支援部２１は、文字列“Invoice-ABC”とデータ内文字列とを比較し、文字列“Invoice-ABC”がデータ内文字列に含まれていれば、つまり、データ内文字列から文字列“Invoice-ABC”の検索に成功すれば、当該ファイル名“Invoice-ABC”を、候補ファイル名の１つとして検出する。
【００３３】
ステップＳ１３０では、ファイル保存支援部２１は、既存ファイルのファイル名と一致する文字列がデータ内文字列に含まれている場合だけでなく、既存ファイルのファイル名の一部と一致する文字列がデータ内文字列に含まれている場合にも、データ内文字列から既存ファイルのファイル名の検索に成功したと判断し、そのファイル名を候補ファイル名の１つとして検出する。この場合も、既存ファイルのファイル名の一部とは、ある程度まとまった文字数からなる部分を意味する。ステップＳ１３０では、ファイル保存支援部２１は、例えば、ファイル名内の連続した２文字以上からなる文字群や、複数の単語がハイフン“-”やアンダーバー“_”等で結合されたファイル名における各単語を、「ファイル名の一部」の最小単位として扱う。
【００３４】
ステップＳ１３０では、ファイル保存支援部２１は、記憶部１５における全ての既存ファイルのファイル名それぞれについてデータ内文字列から検索してもよいが、検索するファイル名をある程度制限した方が、処理が効率的となる。そこで、ファイル保存支援部２１は、前回のデータの保存先としたフォルダーに保存されているファイルのファイル名を、データ内文字列との比較対象としてもよい。
【００３５】
上述の例のように、前回保存したデータがファイル“Invoice-GHI”であると仮定する。ファイル“Invoice-GHI”は、フォルダー“Invoice”に保存されている。そのため、ファイル保存支援部２１は、フォルダー“Invoice”に保存されているファイル“Invoice-ABC”、“Invoice-DEF”、“Invoice-GHI”のファイル名（“Invoice-ABC”、“Invoice-DEF”、“Invoice-GHI”）それぞれを、データ内文字列から検索する。さらに、ファイル保存支援部２１は、前回のデータの保存先としたフォルダーを基準とした、同階層の他のフォルダー、一階層上位のフォルダー、一階層下位のフォルダーのそれぞれに保存されている既存ファイルのファイル名を、データ内文字列との比較対象としてもよい。
【００３６】
なお、図２では、既存ファイル名の検索（ステップＳ１３０）は、既存フォルダー名の検索（ステップＳ１２０）の次に実行される態様としているが、これらステップＳ１２０，Ｓ１３０は、処理順が逆でもよいし、制御部１１の処理能力によっては並行実施されるとしてもよい。
【００３７】
ステップＳ１４０では、制御部１１（表示制御部２２）は、ステップＳ１２０，Ｓ１３０の結果に基づいて、ファイル保存設定画面を表示部１２に表示させる。
図４および図５はそれぞれ、表示制御部２２がステップＳ１４０で表示部１２に表示させるファイル保存設定画面４０を例示している。ファイル保存設定画面４０は、原稿画像表示欄４１、フォルダー設定欄４２、ファイル名設定欄４３等を含んでいる。当然、ファイル保存設定画面４０におけるレイアウトやデザインは、図示するものに限定されない。なお図４においては、ファイル名設定欄４３は、符号４４で示す欄に隠れて一時的に見えない状態となっている。原稿画像表示欄４１には、ステップＳ１００で取得した文書画像データに基づく画像ＩＭ、つまり原稿が表示され、ユーザーは、スキャナー３０に読み取らせた原稿を、原稿画像表示欄４１を通じて視認することができる。
【００３８】
フォルダー設定欄４２は、ステップＳ１００で取得した文書画像データの保存先としてのフォルダー（例えば、記憶部１５内のフォルダー）を設定するための入力欄である。ユーザーは、操作受付部１３等を操作してフォルダー設定欄４２に任意のフォルダー（既存フォルダーあるいは新たに作成したフォルダー）を設定することができる。また、ユーザーがフォルダー設定欄４２対して所定の操作（例えば、プルダウンメニューの表示指示）をしたことに応じて、図４に例示するように、表示制御部２２は、フォルダー設定欄４２の近傍にフォルダー候補欄４４を表示させる。フォルダー候補欄４４は、ファイル保存の履歴に基づくフォルダーを表示するための第１欄４４ａと、ステップＳ１２０で保存先候補フォルダーとして検出されたフォルダーを表示するための第２欄４４ｂとを含んでいる。
【００３９】
第１欄４４ａには、前回保存したデータの保存先のフォルダー（フォルダーのパス（path））が表示される。パスとは、知られているように、記憶部におけるフォルダーへの経路を示す文字列である。第２欄４４ｂには、ステップＳ１２０で保存先候補フォルダーとされたフォルダー、例えば“C:\Users\…\…\Invoice”や、“C:\Users\…\…\Invoice\2017”等といったフォルダーのパスが表示される。表示制御部２２は、フォルダー候補欄４４から選択されたフォルダーをフォルダー設定欄４２に設定する。つまり、ユーザーは、フォルダー候補欄４４からフォルダーを選択する操作（フォルダー候補欄４４に表示されているフォルダーのパスのクリックまたはタップ等）を行うだけで、当該選択したフォルダーをフォルダー設定欄４２に設定することができる。
【００４０】
ファイル名設定欄４３は、ステップＳ１００で取得した文書画像データを保存する際のファイル名を設定するための入力欄である。ユーザーは、操作受付部１３等を操作してファイル名設定欄４３に任意のファイル名を設定することができる。また、ユーザーがファイル名設定欄４３対して所定の操作（例えば、プルダウンメニューの表示指示）をしたことに応じて、図５に例示するように、表示制御部２２は、ファイル名設定欄４３の近傍にファイル名候補欄４６を表示させる。ファイル名候補欄４６は、ファイル保存の履歴に基づくファイル名を表示するための第１欄４６ａと、ステップＳ１３０で候補ファイル名として検出されたファイル名を表示するための第２欄４６ｂとを含んでいる。
【００４１】
第１欄４６ａには、前回保存したデータに付けたファイル名が表示される。第２欄４６ｂには、ステップＳ１３０で候補ファイル名とされたファイル名、例えば、“Invoice-ABC”、“Invoice-DEF”、“Invoice-GHI”等といったファイル名が表示される。表示制御部２２は、ファイル名候補欄４６から選択されたファイル名をファイル名設定欄４３に設定する。つまり、ユーザーは、ファイル名候補欄４６からファイル名を選択する操作（ファイル名候補欄４６に表示されているファイル名のクリックまたはタップ等）を行うだけで、当該選択したファイル名をファイル名設定欄４３に設定することができる。ただし、ファイル名候補欄４６に表示されたファイル名は、いずれも既存ファイルのファイル名であるため、それらを新たに保存するファイル名としてそのまま使用することは基本的にはしない。よって、ユーザーは、ファイル名候補欄４６から選択してファイル名設定欄４３に設定したファイル名については、操作受付部１３を介して最小限の編集を行う。
【００４２】
これまでの説明では、フォルダー候補欄４４（図４）と、ファイル名候補欄４６（図５）とが、ファイル保存設定画面４０内でそれぞれ別のタイミングで表示される態様を読み取ることができるが、ファイル保存設定画面４０のデザインとしては、フォルダー候補欄４４と、ファイル名候補欄４６とを同時に表示するものであってもよい。
【００４３】
制御部１１は、ファイル保存設定画面４０に対するユーザーの入力に従って、保存先のフォルダーおよびファイル名を決定する（ステップＳ１５０）。具体的には、制御部１１は、ファイル保存設定画面４０における所定ボタン（図４，５の例では、ＯＫボタン４５）への操作を検知すると、その時点でフォルダー設定欄４２に設定しているフォルダーをステップＳ１００で取得した文書画像データの保存先に決定し、且つその時点でファイル名設定欄４３に設定しているファイル名をステップＳ１００で取得した文書画像データのファイル名に決定する。
【００４４】
そして、制御部１１は、ステップＳ１００で取得した文書画像データを、ステップＳ１５０で決定したファイル名を付したファイルとして、ステップＳ１５０で決定した保存先のフォルダーに保存する（ステップＳ１６０）。この場合、前記所定ボタン（ＯＫボタン４５）が操作されたことを契機としてファイルを保存する。ステップＳ１５０およびステップＳ１６０は、ほぼ同時に実行される。以上で、図２のフローチャートが終了する。
【００４５】
ステップＳ１２０における既存フォルダー名の検索結果によっては、保存先候補フォルダーが検出されないこともある。そのような場合は、ステップＳ１４０では、保存先候補フォルダーを表示できないため、表示制御部２２は、フォルダー候補欄４４をファイル保存設定画面４０内に表示する際、第２欄４４ｂを有さないフォルダー候補欄４４を表示することになる。また、ステップＳ１３０における既存ファイル名の検索結果によっては、候補ファイル名が検出されないこともある。そのような場合は、ステップＳ１４０では、候補ファイル名を表示できないため、表示制御部２２は、ファイル名候補欄４６をファイル保存設定画面４０内に表示する際、第２欄４６ｂを有さないファイル名候補欄４６を表示することになる。
【００４６】
また本明細書は、既存フォルダー名の検索（ステップＳ１２０）および既存ファイル名の検索（ステップＳ１３０）の両方を実行する態様だけでなく、これらステップＳ１２０，Ｓ１３０のうちの何れか一方のみを実行する態様も開示の一部とする。つまり、図２のフローチャートは、ステップＳ１３０を含まないものであってもよいし、逆に、ステップＳ１２０を含まないものであってもよい。ステップＳ１３０を実行しない実施形態においては、ステップＳ１４０では、表示制御部２２は、ファイル名候補欄４６をファイル保存設定画面４０内に表示する際、第２欄４６ｂを有さないファイル名候補欄４６を表示することになる。一方、ステップＳ１２０を実行しない実施形態においては、ステップＳ１４０では、表示制御部２２は、フォルダー候補欄４４をファイル保存設定画面４０内に表示する際、第２欄４４ｂを有さないフォルダー候補欄４４を表示することになる。
【００４７】
３．まとめ：
このように本実施形態によれば、画像処理装置１０は、原稿の読み取りにより生成された文書画像データを取得し（ステップＳ１００）、文字認識により文書画像データに含まれている文字列（データ内文字列）を認識する（ステップＳ１１０）、制御部１１と、文書画像データを保存する記憶部１５とを備える。制御部１１は、記憶部１５における既存フォルダーのフォルダー名とデータ内文字列とを比較し（ステップＳ１２０）、フォルダー名の少なくとも一部がデータ内文字列と一致する既存フォルダーを、文書画像データの保存先のフォルダー（保存先候補フォルダー）として表示部１２に表示させる（ステップＳ１４０）。
【００４８】
すなわち本実施形態は、文書画像データのデータ内文字列に含まれている文字列と（少なくとも一部が）一致するフォルダー名の既存フォルダーが存在していれば、当該既存フォルダーは、当該文書画像データの保存先として適切なフォルダーである可能性が高いという思想の下で、上述のような保存先候補フォルダーをユーザーに提示する。従って、ユーザーは、保存先候補フォルダーをフォルダー候補欄４４（第２欄４４ｂ）で視認し、これを選択して承認する（ＯＫボタン４５を押す）だけで、スキャナー３０に読み取らせた原稿のスキャンデータ（文書画像データ）の保存先として適切なフォルダーを設定することができる。
【００４９】
また本実施形態によれば、制御部１１は、記憶部１５に保存済みの既存ファイルのファイル名とデータ内文字列とを比較し（ステップＳ１３０）、既存ファイルのファイル名であって、少なくとも一部がデータ内文字列と一致するファイル名を、文書画像データのファイル名（候補ファイル名）として表示部１２に表示させる（ステップＳ１４０）。
【００５０】
すなわち本実施形態は、文書画像データのデータ内文字列に含まれている文字列と（少なくとも一部が）一致するファイル名の既存ファイルが存在していれば、当該ファイル名は、当該文書画像データにとって適切なファイル名と類似している可能性が高いという思想の下で、上述のような候補ファイル名をユーザーに提示する。従って、ユーザーは、候補ファイル名をファイル名候補欄４６（第２欄４６ｂ）で視認し、これを選択し、ファイル名に対する最小限の編集を経て承認する（ＯＫボタン４５を押す）だけで、スキャナー３０に読み取らせた原稿のスキャンデータ（文書画像データ）のファイル名として適切なファイル名を設定することができる。
【００５１】
４．変形例：
本実施形態は上述した態様に限られず、種々の変形例を含み得る。以下では、本実施形態に含まれる変形例を説明する。
【００５２】
（変形例１）
制御部１１は、ステップＳ１２０における既存フォルダー名の検索の結果、保存先候補フォルダーを複数検出した場合、それら保存先候補フォルダーのパスに含まれる複数の文字列と、データ内文字列との一致度合に基づいて、ステップＳ１４０でフォルダーを表示する際の優先順を決定してもよい。
【００５３】
具体例をもって説明する。ステップＳ１２０において保存先候補フォルダーとされたフォルダーが、“C:\Users\…\JJJ\Invoice”というパスで表される既存フォルダー（第１の既存フォルダー）、および、“C:\Users\…\KKK\Invoice”というパスで表される既存フォルダー（第２の既存フォルダー）、であったと仮定する。つまり、第１の既存フォルダーおよび第２の既存フォルダーは、いずれもフォルダー名は“Invoice”である。
【００５４】
前記パスにおける“JJJ”や“KKK”は、例えば、Invoiceすなわち請求書である原稿の発行元の会社名等であるとする。また、ステップＳ１００で取得した文書画像データのデータ内文字列には、文字列“JJJ”および“Invoice”は含まれているが、文字列“KKK”は含まれていないとする。このような具体的状況では、ステップＳ１２０において、フォルダー名がいずれも“Invoice”である第１の既存フォルダーおよび第２の既存フォルダーが保存先候補フォルダーとして検出される。
【００５５】
このようなステップＳ１２０の結果を受けて、ステップＳ１４０では、制御部１１は、保存先候補フォルダーであって、パスに含まれる複数の文字列がデータ内文字列と一致するフォルダーを優先的に表示させる。第１の既存フォルダーと第２の既存フォルダーとの比較で言えば、第１の既存フォルダーは、パスに含まれる文字列のうち、“JJJ”および“Invoice”という２つの文字列がデータ内文字列と一致する。一方、第２の既存フォルダーは、パスに含まれる文字列のうち“Invoice”という文字列だけがデータ内文字列と一致する。そのため、制御部１１は、第１の既存フォルダーを、第２の既存フォルダーよりも優先的に表示させる。優先的な表示とは、ユーザーにより選択させ易くする態様の表示であり、一例として、リスト内のより上位位置への表示である。
【００５６】
図６は、ステップＳ１４０で表示部１２に表示させるファイル保存設定画面４０であって、図４とは異なる例を示している。図６においても、図４と同様に、ファイル保存設定画面４０内にフォルダー候補欄４４が表示されている。図６の例では、フォルダー候補欄４４の第２欄４４ｂには、上述の第１の既存フォルダーおよび第２の既存フォルダーが表示されており、かつ、第１の既存フォルダーの方が第２の既存フォルダーよりも第２欄４４ｂ内のリストにおいて上位位置に表示されている。
【００５７】
このような変形例によれば、制御部１１は、フォルダー名の少なくとも一部がデータ内文字列と一致する既存フォルダーであって、記憶部１５におけるフォルダーへの経路を示すパスに含まれる複数の文字列がデータ内文字列と一致するフォルダーを、保存先のフォルダー（保存先候補フォルダー）として優先的に表示部１２に表示させると言える。つまり、制御部１１は、フォルダー名だけでなくパスを構成する他の文字列もデータ内文字列と比較することにより、文書画像データの保存先として適切なフォルダーを、より的確にユーザーが設定し易い態様で提示することができる。
【００５８】
ここで、記憶部１５に“C:\Users\…\Invoice\JJJ”というパスで表される既存フォルダー（第３の既存フォルダー）、および“C:\Users\…\Invoice\KKK”というパスで表される既存フォルダー（第４の既存フォルダー）が存在しており、上述したようにステップＳ１００で取得した文書画像データのデータ内文字列には、文字列“JJJ”および“Invoice”は含まれているが、文字列“KKK”は含まれていない場合を想定する。この場合、ステップＳ１２０では、第３の既存フォルダーおよび第４の既存フォルダーのうち、フォルダー名が“JJJ”である第３の既存フォルダーが保存先候補フォルダーとして検出されることになる。
【００５９】
このような変形例の思想は、ファイル名の表示に際しても適用可能である。つまり、制御部１１は、ファイル名の少なくとも一部がデータ内文字列と一致する既存ファイルのファイル名であって、記憶部１５におけるファイルへの経路を示すパスに含まれる複数の文字列がデータ内文字列と一致するファイル名を、文書画像データのファイル名（候補ファイル名）として優先的に表示部１２に表示させる、としてもよい。
【００６０】
仮に、３つの既存ファイル“Invoice-ABC”、“Invoice-DEF”、“Invoice-GHI”の記憶部１５におけるファイルパスが、以下のように表されるとする。
“C:\Users\…\…\JJJ\Invoice-ABC”  （第１の既存ファイル）
“C:\Users\…\…\KKK\Invoice-DEF”  （第２の既存ファイル）
“C:\Users\…\…\KKK\Invoice-GHI”  （第３の既存ファイル）
【００６１】
また上述したように、ステップＳ１００で取得した文書画像データのデータ内文字列には、文字列“JJJ”および“Invoice”は含まれているが、文字列“KKK”は含まれていないとする。この場合、ステップＳ１３０では、ファイル名に“Invoice”が含まれる第１〜第３の既存ファイル“Invoice-ABC”、“Invoice-DEF”、“Invoice-GHI”はいずれも候補ファイル名として検出される。このようなステップＳ１３０の結果を受けて、ステップＳ１４０では、制御部１１は、候補ファイル名のうちパスに含まれる複数の文字列がデータ内文字列と一致するファイル名、すなわち第１の既存ファイルを、ファイル名候補欄４６の第２欄４６ｂにおいて最も優先的に表示させる。このように制御部１１は、ファイル名だけでなくパスを構成する他の文字列も、データ内文字列と比較することにより、文書画像データの保存に際して、適切なファイル名をユーザーがより設定し易い態様の表示を行うことができる。
【００６２】
（変形例２）
また別の変形例として、制御部１１は、読み取られた文書の種類を表す文字列を含むフォルダー名を、ファイルを保存するフォルダー名の候補として提示（新規作成）してもよい。
【００６３】
図7は、制御部１１がプログラムＡに従って実行するフォルダー名の決定処理をフローチャートにより示している。
先ず、スキャナー３０は、ユーザーが任意にセットした原稿を読み取ることにより画像データを生成する。本実施形態では、ユーザーがスキャナー３０に読み取らせる原稿は、少なくとも文字が記載された原稿であるとする。原稿は、例えばレシートや請求書や契約書等である。スキャナー３０は、原稿の読取結果としての画像データ（文書画像データ）を、画像処理装置１０へ送信する。制御部１１は、通信ＩＦ１４を介してスキャナー３０へ原稿の読取開始を指示し、スキャナー３０は、制御部１１からの当該読取開始の指示に従って原稿の読み取りを開始してもよい。
【００６４】
制御部１１（データ取得部２０）は、上述のようにスキャナー３０から送信された文書画像データを、通信ＩＦ１４を介して取得する（ステップＳ２００）。なお、データ取得部２０は、スキャナー３０から直接に文書画像データを取得（受信）するのではなく、スキャナー３０から文書画像データが転送された転送先としての記憶部（例えば、記憶部１５）から当該文書画像データを取得してもよい。
【００６５】
制御部１１（ファイル保存支援部２１）は、ステップＳ２００で取得した文書画像データを対象として、文字認識（ＯＣＲ：Optical Character Recognition/Reader）を実行することにより、文書画像データに含まれている文字列を認識する（ステップＳ２１０）。この場合、文書画像データに含まれている文字列と認識可能な対象を文字データ（テキストデータ）に変換する。文字認識処理は、公知の技術であるため、これ以上の説明は省略する。
【００６６】
ステップＳ２２０では、ファイル保存支援部２１は、ステップＳ２１０において認識した文書画像データに含まれている文字列（以下、データ内文字列）から、予め登録された特定文字列を検索する。特定文字列とは、テーブルＴに登録済みの文字列である。テーブルＴは、画像処理装置１０内の記憶部（例えば、記憶部１５）に記憶されている。ただし、テーブルＴは、外部のサーバーに記憶されており、画像処理装置１０は、前記ネットワークを通じて前記サーバーにアクセスすることでテーブルＴを適宜参照してもよい。
【００６７】
特定文字列は、基本的には、原稿の種類（原稿がどのような用途・趣旨の書類であるか）を示す言葉である。例えば、テーブルＴには、特定文字列として“invoice”、“bill”、“contract”等、原稿内の文書に含まれていることが想定される言葉であって原稿の種類を端的に表す言葉が予め複数登録されている。テーブルＴには、更に、プログラムＡを実行する制御部１１が過去にファイル名として入力を受け付けた文字列が特定文字列の一種として登録されていてもよい。つまり、プログラムＡを実行する制御部１１は、ユーザーが操作受付部１３等を操作してファイル名入力欄に入力したファイル名に含まれる言葉（例えば、原稿の発行元の店舗や施設や会社の名称）を、テーブルＴに登録することにより、テーブルＴにおける特定文字列の登録数を増やすことができる。
【００６８】
ステップＳ２３０では、ファイル保存支援部２１は、データ内文字列から日付情報を抽出する。つまり、ファイル保存支援部２１は、日付を表していると判別できる所定桁数の数字や、そのような数字と例えばスラッシュ“/”や、漢字の“年”、“月”、“日”等を含んだ文字列を、日付情報として抽出する。図７では、日付情報の抽出（ステップＳ２３０）は、特定文字列の検索（ステップＳ２２０）の次に実行される態様としているが、これらステップＳ２２０，Ｓ２３０は、処理順が逆でもよいし、制御部１１の処理能力によっては並行実施されるとしてもよい。またＳ２３０は、フォルダー名は原稿の種類のみとして管理されることもあるため省略してもよい。
【００６９】
ステップＳ２４０では、ファイル保存支援部２１は、ステップＳ２００で取得した文書画像データを保存する際に付けるフォルダー名を、ステップＳ２２０，Ｓ２３０の結果を用いて生成する。この場合、ファイル保存支援部２１は、ステップＳ２２０における検索でデータ内文字列から検出した特定文字列と、ステップＳ２３０においてデータ内文字列から抽出した日付情報とを含んだフォルダー名を生成する。具体的には、ファイル保存支援部２１は、特定文字列を接頭辞とし、日付情報を接尾辞とし、これら特定文字列と日付情報とをアンダーバー“_”や、ハイフン“-”等で結んだファイル名を生成する。例えば、ステップＳ２２０における検索でデータ内文字列から特定文字列として“invoice”を検出し、ステップＳ２３０において日付情報として“09/30/17”を抽出した場合には“invoice_2017/09/30”といったフォルダー名を生成することが可能である。
【００７０】
ステップＳ２５０では、制御部１１（表示制御部２２）は、ステップＳ２４０で生成したファイル名を表示部１２に表示させる。
図８は、表示制御部２２がステップＳ２５０で表示部１２に表示させるフォルダー設定画面５０の一例を示している。フォルダー設定画面５０は、原稿画像表示欄５１、フォルダー設定欄５２、フォルダー名入力欄５３等を含んでいる。原稿画像表示欄５１には、ステップＳ２００で取得した文書画像データに基づく画像ＩＭ、つまり原稿が表示され、ユーザーは、スキャナー３０に読み取らせた原稿を、原稿画像表示欄５１を通じて視認することができる。
【００７１】
フォルダー設定欄５２は、ステップＳ２００で取得した文書画像データの保存先としてのフォルダー（例えば、記憶部１５内のフォルダー）を設定するための入力欄である。ユーザーは、操作受付部１３等を操作してフォルダー設定欄５２に任意のフォルダー（既存のフォルダーあるいは新たに作成したフォルダー）を設定することができる。
【００７２】
フォルダー名入力欄５３は、ステップＳ２００で取得した文書画像データに付けるフォルダー名を設定するための入力欄である。ユーザーは、操作受付部１３等を操作してフォルダー名入力欄５３に任意のフォルダー名を文字入力することで、フォルダー名を設定することができる。ただし本実施形態では、図８に例示するように、表示制御部２２は、フォルダー名入力欄５３の近傍にフォルダー名候補欄５４を表示させる。フォルダー名候補欄５４は、フォルダー名の設定履歴に基づくフォルダー名を表示するための第１欄５４ａと、ステップＳ２４０で生成されたフォルダー名を表示するための第２欄５４ｂとを含んでいる。第１欄５４ａには、例えば、過去（直近）にフォルダー名入力欄５３で設定された（ファイル保存に際して実際に採用された）フォルダー名が表示される。第２欄５４ｂには、ステップＳ２４０で生成されたフォルダー名、例えば、上述したよう“invoice_2017/09/30”が表示される。
【００７３】
表示制御部２２は、フォルダー名候補欄５４から選択されたフォルダー名をフォルダー名入力欄５３に設定する。つまり、ユーザーは、フォルダー名候補欄５４からファイル名を選択する操作（フォルダー名候補欄５４に表示されているファイル名のクリックまたはタップ等）を行うだけで、当該選択したフォルダー名をフォルダー名入力欄５３に設定することができる。
【００７４】
制御部１１は、フォルダー設定画面５０に対するユーザーの入力に従って、フォルダー名を決定する（ステップＳ２６０）。具体的には、制御部１１は、フォルダー設定画面５０における所定ボタン（図８の例では、ＯＫボタン５５）への操作を検知すると、その時点でフォルダー名入力欄５３に設定しているフォルダー名を、ステップＳ２００で取得した文書画像データを保存するフォルダー名に決定する。すなわちユーザーは、ステップＳ２４０で自動的に生成されたフォルダー名を、フォルダー名候補欄５４（第２欄５４ｂ）で視認し、これを選択して承認する（ＯＫボタン５５を押す）だけで、スキャナー３０に読み取らせた原稿のスキャンデータ（文書画像データ）にファイル名を付けることができる。
【００７５】
そして、制御部１１は、ステップＳ２００で取得した文書画像データを、ステップＳ２６０で決定したフォルダー名を付したフォルダーを作成する（ステップＳ２７０）。以上で、図７のフローチャートが終了する。
【００７６】
以上説明したように、本変形例においては、フォルダー名の少なくとも一部がデータ内文字列と一致する既存フォルダーが検索できないときに、読み取られた文書の種類を表す文字列を含むフォルダー名を、ファイルを保存するフォルダー名の候補として提示し、新規作成することができるため、フォルダーの適切な設定が容易にすることができる。
【００７７】
（変形例３）
また別の変形例として、記憶部１５は原稿の発行元（企業名や店舗名）のデータベースを記憶しており、データベースに記憶されている企業名と一致する文字列をフォルダー名の候補として提示してもよい。
【００７８】
例えば、あるユーザーは“invoice”フォルダーの下位に企業名“LLL”を作成して“C:\Users\…\Invoice\LLL”というフォルダーの体系で管理していたとする。ところが、別のユーザーも同様のルールでフォルダーの名称を付与するとは限らず、フォルダーの体系が統一されない恐れがある。
【００７９】
本変形例においては、文字認識処理により読み取られた文書の種類を表す文字列の下位に、記憶部１５に記憶されたデータベースに登録されている原稿の発行元と一致する文字列を組み合わせたフォルダー名を、ファイルを保存するフォルダー名の候補として提示する。
【００８０】
以上説明したように、本変形例においては、特定のルールに基づくフォルダー名を提示することにより、特に新規フォルダーの作成時にフォルダーの構成を統一することができる。よって、ユーザーは後で保存したファイルを検索するとき、容易に所望のファイルが保存されているフォルダーを探すことができる。
【符号の説明】
【００８１】
１０…画像処理装置、１１…制御部、１２…表示部、１３…操作受付部、１４…通信ＩＦ、１５…記憶部、２０…データ取得部、２１…ファイル保存支援部、２２…表示制御部、３０…スキャナー、４０…ファイル保存設定画面、４１…原稿画像表示欄、４２…フォルダー設定欄、４３…ファイル名設定欄、４４…フォルダー候補欄、４４ａ…第１欄、４４ｂ…第２欄、４６…ファイル名候補欄、４６ａ…第１欄、４６ｂ…第２欄、５０…フォルダー設定画面、５１…原稿画像表示欄、５２…フォルダー設定欄、５３…フォルダー名入力欄、５４…フォルダー名候補欄、５４ａ…第１欄、５４ｂ…第２欄、Ａ…プログラム
【図１】
2019117622.tif 000003
【図２】
2019117622.tif 000004
【図３】
2019117622.tif 000005
【図４】
2019117622.tif 000006
【図５】
2019117622.tif 000007
【図６】
2019117622.tif 000008
【図７】
2019117622.tif 000009
【図８】
2019117622.tif 000010